【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】
第一の論理ボリュームを備える第一の記憶装置と、
第二の論理ボリュームを備える第二の記憶装置と、
第三の論理ボリュームを備える第三の記憶装置と、
前記第一の記憶装置にアクセスする情報処理装置と、
前記第一の記憶装置と前記第二の記憶装置とを通信可能に接続する通信手段と、
前記第一の記憶装置と前記第三の記憶装置とを通信可能に接続する通信手段と、
を含んで構成される情報処理システムの制御方法において、
前記第一の記憶装置が前記情報処理装置から送信されてくるデータの書き込み要求に応じてそのデータを前記第一の論理ボリュームに記憶した場合に、前記第一の記憶装置は前記データを前記第二の記憶装置に送信し、前記第二の記憶装置が受信した前記データを前記第二の論理ボリュームに記憶させる、第一の論理ボリュームから第二の論理ボリュームへの複製管理処理を実行するステップと、
前記情報処理装置から前記第一の記憶装置にフェールオーバの実行要求があった場合に、前記第一の記憶装置は前記データを前記第三の記憶装置に送信し、前記第三の記憶装置が受信した前記データを前記第三の論理ボリュームに記憶させる、第一の論理ボリュームから第三の論理ボリュームへの複製管理処理を開始するステップと、
を含むことを特徴とする情報処理システムの制御方法。
【請求項２】
請求項１に記載の情報処理システムの制御方法において、
前記第一の論理ボリュームの内容と前記第二の論理ボリュームの内容とが一致しない場合には、第一の論理ボリュームから第二の論理ボリュームへの複製管理処理を実行する前に前記第一の記憶装置は第一の論理ボリュームの全データを前記第二の記憶装置に送信し、前記第二の記憶装置が受信した前記第一の論理ボリュームの全データを前記第二の論理ボリュームに記憶させることにより、あらかじめ前記第二の論理ボリュームの内容を前記第一の論理ボリュームの内容に一致させる、第一の論理ボリュームから第二の論理ボリュームへの初期複製処理を実行すること、
を特徴とする情報処理システムの制御方法。
【請求項３】
請求項１に記載の情報処理システムの制御方法において、
前記第一の論理ボリュームの内容と前記第三の論理ボリュームの内容とが一致しない場合には、第一の論理ボリュームから第三の論理ボリュームへの複製管理処理を実行する前に前記第一の記憶装置は第一の論理ボリュームの全データを前記第三の記憶装置に送信し、前記第三の記憶装置が受信した前記第一の論理ボリュームの全データを前記第三の論理ボリュームに記憶させることにより、あらかじめ前記第三の論理ボリュームの内容を前記第一の論理ボリュームの内容に一致させる、第一の論理ボリュームから第三の論理ボリュームへの初期複製処理を実行すること、
を特徴とする情報処理システムの制御方法。
【請求項４】
請求項１に記載の情報処理システムの制御方法において、
前記第一の論理ボリュームから第二の論理ボリュームへの複製管理処理を実行中に、前記第二の論理ボリュームに前記データの書き込みができない場合には、前記第一の記憶装置は第一の論理ボリュームの全データを前記第三の記憶装置に送信し、前記第三の記憶装置が受信した前記第一の論理ボリュームの全データを前記第三の論理ボリュームに記憶させる、前記第一の論理ボリュームから第三の論理ボリュームへの初期複製処理を自動的に開始すること、
を特徴とする情報処理システムの制御方法。
【請求項５】
請求項４に記載の情報処理システムの制御方法において、
前記第一の記憶装置が、前記第三の論理ボリュームに前記データの書き込みができると判断した場合に、前記第一の論理ボリュームから第三の論理ボリュームへの初期複製処理を自動的に開始すること、
を特徴とする情報処理システムの制御方法。
【請求項６】
請求項３に記載の情報処理システムの制御方法において、
前記第一の論理ボリュームから第三の論理ボリュームへの初期複製処理を実行中に、前記第二の論理ボリュームにデータの書き込みができない場合でも、前記第一の論理ボリュームから第三の論理ボリュームへの初期複製処理を続行すること、
を特徴とする情報処理システムの制御方法。
【請求項７】
請求項２に記載の情報処理システムの制御方法において、
前記第一の論理ボリュームから第二の論理ボリュームへの初期複製処理を実行中に、前記第二の論理ボリュームにデータの書き込みができない場合には、前記第一の記憶装置は第一の論理ボリュームの全データを前記第三の記憶装置に送信し、前記第三の記憶装置が受信した前記第一の論理ボリュームの全データを前記第三の論理ボリュームに記憶させる、前記第一の論理ボリュームから第三の論理ボリュームへの初期複製処理を自動的に開始すること、
を特徴とする情報処理システムの制御方法。
【請求項８】
請求項７に記載の情報処理システムの制御方法において、
前記第一の記憶装置が、前記第三の論理ボリュームに前記データの書き込みができると判断した場合に、前記第一の論理ボリュームから第三の論理ボリュームへの初期複製処理を自動的に開始すること、
を特徴とする情報処理システムの制御方法。
【請求項９】
請求項４乃至８のいずれかに記載の情報処理システムの制御方法において、
前記情報処理システムは、
第四の論理ボリュームを備える第四の記憶装置と、
前記第一の記憶装置と前記第四の記憶装置とを通信可能に接続する通信手段と、
を備え、
前記第一の論理ボリュームから第三の論理ボリュームへの初期複製処理を実行中に、前記第三の論理ボリュームにデータの書き込みができない場合には、前記第一の記憶装置は第一の論理ボリュームの全データを第四の記憶装置に送信し、前記第四の記憶装置が受信した前記第一の論理ボリュームの全データを前記第四の論理ボリュームに記憶させる、第一の論理ボリュームから第四の論理ボリュームへの初期複製処理を自動的に開始すること、
を特徴とする情報処理システムの制御方法。
【請求項１０】
請求項１に記載の情報処理システムの制御方法において、
前記情報処理システムは、
第四の論理ボリュームを備える第四の記憶装置と、
前記第一の記憶装置と前記第四の記憶装置とを通信可能に接続する通信手段と、
を備え、
前記第一の論理ボリュームから第三の論理ボリュームへの複製管理処理を実行中に、前記第三の論理ボリュームにデータの書き込みができない場合には、前記第一の記憶装置は第一の論理ボリュームの全データを第四の記憶装置に送信し、前記第四の記憶装置が受信した前記第一の論理ボリュームの全データを前記第四の論理ボリュームに記憶させる、前記第一の論理ボリュームから第四の論理ボリュームへの初期複製処理を自動的に開始すること、
を特徴とする情報処理システムの制御方法。
【請求項１１】
請求項３に記載の情報処理システムの制御方法において、
前記情報処理システムは、
第四の論理ボリュームを備える第四の記憶装置と、
前記第一の記憶装置と前記第四の記憶装置とを通信可能に接続する通信手段と、
を備え、
前記第一の論理ボリュームから第三の論理ボリュームへの初期複製処理を実行中に、前記第三の論理ボリュームにデータの書き込みができない場合には、前記第一の記憶装置は第一の論理ボリュームの全データを第四の記憶装置に送信し、前記第四の記憶装置が受信した前記第一の論理ボリュームの全データを前記第四の論理ボリュームに記憶させる、前記第一の論理ボリュームから第四の論理ボリュームへの初期複製処理を自動的に開始すること、
を特徴とする情報処理システムの制御方法。
【請求項１２】
請求項９乃至１１のいずれかに記載の情報処理システムの制御方法において、
前記第三の論理ボリュームにデータの書き込みができない場合に、前記第一の記憶装置が前記第四の記憶装置に前記第四の論理ボリュームの使用状況を問い合わせ、
前記使用状況を問い合わせた結果、前記第四の論理ボリュームの使用が可能である旨の通知を受信した場合に、前記第一の論理ボリュームから第四の論理ボリュームへの初期複製処理を自動的に開始すること、
を特徴とする情報処理システムの制御方法。
【請求項１３】
請求項４乃至７のいずれかに記載の情報処理システムの制御方法において、
前記第一の論理ボリュームから第三の論理ボリュームへの初期複製処理を完了した後に、前記第一の論理ボリュームから第三の論理ボリュームへの複製管理処理を開始すること、
を特徴とする情報処理システムの制御方法。
【請求項１４】
請求項１に記載の情報処理システムの制御方法において、
前記第一の論理ボリュームから第三の論理ボリュームへの複製管理処理を実行中に、前記第二の論理ボリュームにデータの書き込みができるか否かを判断するステップと、
前記第二の論理ボリュームにデータの書き込みができると判断した場合には、前記第一の記憶装置は前記第一の論理ボリュームの全データを前記第二の記憶装置に送信し、前記第二の記憶装置が受信した前記第一の論理ボリュームの全データを前記第二の論理ボリュームに記憶させる、第一の論理ボリュームから第二の論理ボリュームへの再初期複製処理を開始するステップと、
を含むことを特徴とする情報処理システムの制御方法。
【請求項１５】
請求項１に記載の情報処理システムの制御方法において、
第一の論理ボリュームから第三の論理ボリュームへの複製管理処理を実行中に、前記第二の論理ボリュームにデータの書き込みができるか否かを判断するステップと、
前記第二の論理ボリュームにデータの書き込みができると判断した場合には、前記第一の論理ボリュームの内容と前記第二の論理ボリュームの内容とを比較し、前記第一の論理ボリュームの内容と前記第二の論理ボリュームの内容とにおいて異なるデータを検知した場合には、前記第一の記憶装置は前記第二の論理ボリュームに無いデータを前記第二の記憶装置に送信し、前記第二の記憶装置が受信した前記第二の論理ボリュームに無いデータを前記第二の論理ボリュームに記憶させる、第一の論理ボリュームから第二の論理ボリュームへの再初期複製処理を開始するステップと、
を含むことを特徴とする情報処理システムの制御方法。
【請求項１６】
請求項４乃至７のいずれかに記載の情報処理システムの制御方法において、
前記第一の論理ボリュームから第三の論理ボリュームへの初期複製処理を実行中に、前記第二の論理ボリュームにデータの書き込みができるか否かを判断するステップと、
前記第二の論理ボリュームにデータの書き込みができると判断した場合には、前記第一の記憶装置は前記第一の論理ボリュームの全データを前記第二の記憶装置に送信し、前記第二の記憶装置が受信した前記第一の論理ボリュームの全データを前記第二の論理ボリュームに記憶させる、第一の論理ボリュームから第二の論理ボリュームへの再初期複製処理を開始するステップと、
を含むことを特徴とする情報処理システムの制御方法。
【請求項１７】
請求項４乃至７のいずれかに記載の情報処理システムの制御方法において、
前記第一の論理ボリュームから第三の論理ボリュームへの初期複製処理を実行中に、前記第二の論理ボリュームにデータの書き込みができるか否かを判断するステップと、
前記第二の論理ボリュームにデータの書き込みができると判断した場合には、前記第一の論理ボリュームの内容と前記第二の論理ボリュームの内容とを比較し、前記第一の論理ボリュームの内容と前記第二の論理ボリュームの内容とにおいて異なるデータを検知した場合には、前記第一の記憶装置は前記第二の論理ボリュームに無いデータを前記第二の記憶装置に送信し、前記第二の記憶装置が受信した前記第二の論理ボリュームに無いデータを前記第二の論理ボリュームに記憶させる、第一の論理ボリュームから第二の論理ボリュームへの再初期複製処理を開始するステップと、
を含むことを特徴とする情報処理システムの制御方法。
【請求項１８】
請求項１４乃至１７のいずれかに記載の情報処理システムの制御方法において、
前記第二の論理ボリュームにデータの書き込みができるか否かを判断するステップは、前記第二の論理ボリュームにデータの書き込みが２回以上連続して書き込みができるか否かを判断するステップであること、
を特徴とする情報処理システムの制御方法。
【請求項１９】
請求項１６又は１７に記載の情報処理システムの制御方法において、
前記第一の論理ボリュームから第三の論理ボリュームへの初期複製処理と、前記第一の論理ボリュームから第二の論理ボリュームへの再初期複製処理とのどちらの処理を先に実行するかを選択する処理が含まれること、
を特徴とする情報処理システムの制御方法。
【請求項２０】
請求項１９記載の情報処理システムの制御方法において、
前記第一の論理ボリュームから第三の論理ボリュームへの初期複製処理と、前記第一の論理ボリュームから第二の論理ボリュームへの再初期複製処理とのどちらの処理を先に実行するかの選択は、前記第一の論理ボリュームから第三の論理ボリュームへの初期複製処理に要する時間と、前記第一の論理ボリュームから第二の論理ボリュームへの初期複製処理に要する時間とを比較して、どちらの処理に要する時間が短いかを判断することにより、どちらの処理を先に実行するかの選択であること、
を特徴とする情報処理システムの制御方法。
【請求項２１】
請求項１４に記載の情報処理システムの制御方法において、
前記第一の論理ボリュームから第二の論理ボリュームへの再初期複製処理を完了した後、前記第一の論理ボリュームから第二の論理ボリュームへの複製管理処理を開始するステップが含まれること、
を特徴とする情報処理システムの制御方法。
【請求項２２】
請求項１５に記載の情報処理システムの制御方法において、
前記第一の論理ボリュームから第二の論理ボリュームへの再初期複製処理を完了した後、前記第一の論理ボリュームから第二の論理ボリュームへの複製管理処理を開始するステップが含まれること、
を特徴とする情報処理システムの制御方法。
【請求項２３】
請求項１６に記載の情報処理システムの制御方法において、
前記第一の論理ボリュームから第二の論理ボリュームへの再初期複製処理を完了した後、前記第一の論理ボリュームから第二の論理ボリュームへの複製管理処理を開始するステップが含まれること、
を特徴とする情報処理システムの制御方法。
【請求項２４】
請求項１７に記載の情報処理システムの制御方法において、
前記第一の論理ボリュームから第二の論理ボリュームへの再初期複製処理を完了した後、前記第一の論理ボリュームから第二の論理ボリュームへの複製管理処理を開始するステップが含まれること、
を特徴とする情報処理システムの制御方法。
【請求項２５】
請求項１４に記載の情報処理システムの制御方法において、
前記第一の論理ボリュームから第二の論理ボリュームへの再初期複製処理を実行中に、前記第二の論理ボリュームにデータの書き込みができない場合には、前記第一の論理ボリュームから第三の論理ボリュームへの複製管理処理のみを続行すること、
を特徴とする情報処理システムの制御方法。
【請求項２６】
請求項１５に記載の情報処理システムの制御方法において、
前記第一の論理ボリュームから第二の論理ボリュームへの再初期複製処理を実行中に、前記第二の論理ボリュームにデータの書き込みができない場合には、前記第一の論理ボリュームから第三の論理ボリュームへの複製管理処理のみを続行すること、
を特徴とする情報処理システムの制御方法。
【請求項２７】
請求項１４に記載の情報処理システムの制御方法において、
前記第一の論理ボリュームから第二の論理ボリュームへの再初期複製処理を実行中に、前記第三の論理ボリュームにデータの書き込みができない場合でも、前記第一の論理ボリュームから第二の論理ボリュームへの再初期複製処理を続行すること、
を特徴とする情報処理システムの制御方法。
【請求項２８】
請求項１５に記載の情報処理システムの制御方法において、
前記第一の論理ボリュームから第二の論理ボリュームへの再初期複製処理を実行中に、前記第三の論理ボリュームにデータの書き込みができない場合でも、前記第一の論理ボリュームから第二の論理ボリュームへの再初期複製処理を続行すること、
を特徴とする情報処理システムの制御方法。
【請求項２９】
第一の論理ボリュームを備える第一の記憶装置と、
第二の論理ボリュームを備える第二の記憶装置と、
第三の論理ボリュームを備える第三の記憶装置と、
前記第一の記憶装置にアクセスする情報処理装置と、
前記第一の記憶装置と前記第二の記憶装置とをネットワークを介して通信可能に接続する通信手段と、
前記第一の記憶装置と前記第三の記憶装置とをネットワークを介して通信可能に接続する通信手段と、
を含んで構成される情報処理システムの制御方法において、
前記第一の記憶装置は、
前記情報処理装置からデータの書き込み要求を受信するチャネル制御部と、
前記チャネル制御部が受信した前記データの書き込み要求を書き込む共有メモリと、
前記共有メモリに書き込まれた前記データの書き込み要求に従って前記第一の論理ボリュームに前記データを書き込むディスク制御部と、
前記チャネル制御部と前記ディスク制御部との間で教授する前記データを一時的に記憶するキャッシュメモリと、
前記第一の論理ボリュームを提供するディスクドライブと、
前記第二の記憶装置乃至前記第四の記憶装置に、前記データの複製データを送信するリモート通信インターフェースと、
前記チャネル制御部、前記共有メモリ、前記ディスク制御部、前記キャッシュメモリ、前記ディスクドライブ、及び前記リモート通信インターフェースの間を通信可能に接続するスイッチング制御部と、
を備えるディスクアレイ装置であり、
前記ディスク制御部は、前記チャネル制御部が前記情報処理装置から受信したデータの書き込み要求に応じてそのデータを前記第一の論理ボリュームに書き込み、前記リモート通信インターフェースは、前記第一の論理ボリュームに記憶したデータの複製データを前記第二の記憶装置に送信し、前記第二の記憶装置は、受信した複製データを前記第二の論理ボリュームに書き込む、第一の論理ボリュームから第二の論理ボリュームへの複製管理処理を実行するステップと、
前記情報処理装置から前記チャネル制御部にフェールオーバの実行要求があった場合に、前記ディスク制御部は、前記チャネル制御部が前記情報処理装置から受信したデータの書き込み要求に応じてそのデータを前記第一の論理ボリュームに書き込み、前記リモート通信インターフェースは、前記第一の論理ボリュームに記憶したデータの複製データを前記第三の記憶装置に送信し、前記第三の記憶装置は、受信した複製データを前記第三の論理ボリュームに書き込む、第一の論理ボリュームから第三の論理ボリュームへの複製管理処理を開始するステップと、
を含むことを特徴とする情報処理システムの制御方法。
【請求項３０】
第一の論理ボリュームを備える第一の記憶装置と、
第二の論理ボリュームを備える第二の記憶装置と、
第三の論理ボリュームを備える第三の記憶装置と、
前記第一の記憶装置にアクセスする情報処理装置と、
前記第一の記憶装置と前記第二の記憶装置とを通信可能に接続する通信手段と、
前記第一の記憶装置と前記第三の記憶装置とを通信可能に接続する通信手段と、
前記第一の記憶装置が前記情報処理装置から送信されてくるデータの書き込み要求に応じてそのデータを前記第一の論理ボリュームに記憶した場合に、前記第一の記憶装置は前記データを前記第二の記憶装置に送信し、前記第二の記憶装置が受信した前記データを前記第二の論理ボリュームに記憶させる、第一の論理ボリュームから第二の論理ボリュームへの複製管理処理を実行する手段と、
前記情報処理装置から前記第一の記憶装置にフェールオーバの実行要求があった場合に、前記第一の記憶装置は前記データを前記第三の記憶装置に送信し、前記第三の記憶装置が受信した前記データを前記第三の論理ボリュームに記憶させる、第一の論理ボリュームから第三の論理ボリュームへの複製管理処理を開始する手段と、
を備えることを特徴とする情報処理システム。
【手続補正２】
【補正対象書類名】明細書
【補正対象項目名】００１３
【補正方法】変更
【補正の内容】
【００１３】
チャネル制御部２０１は、ＣＰＵ・メモリを備え、主として情報処理装置１４０との間の通信機能を提供する。チャネル制御部２０１は、情報処理装置１４０からのデータＩ／Ｏ要求を受信してそのデータＩ／Ｏ要求を共有メモリ２０４に書き込む。なお、後述するリモートコピーの機能及びフェールオーバやフェールバックに連動して行われるリモートコピーの運用形態の変更の機能などは、チャネル制御部２０１のＣＰＵがこれらの機能を実現するプログラムを実行することにより提供される。なお、第一以外の記憶装置１２０，１３０にチャネル制御部２０１を備えなくても本発明の情報処理システムを可能にすることができるが、その場合にはＣＰＵ及びメモリを別途備える必要がある。
【手続補正３】
【補正対象書類名】明細書
【補正対象項目名】００２０
【補正方法】変更
【補正の内容】
【００２０】
また、第一の記憶装置１１０は情報処理装置１４０から送信されるデータの書き込み要求に応じてそのデータを第一の論理ボリューム１１１に記憶した場合に、第一の記憶装置１１０は当該データを第三の記憶装置１３０に送信し、これを受信した第三の記憶装置１３０が第三の論理ボリューム１３１に当該データを記憶させる、第一の論理ボリューム１１１から第三の論理ボリューム１３１へのリモートコピーが行われる場合もある。
【手続補正４】
【補正対象書類名】明細書
【補正対象項目名】００６３
【補正方法】変更
【補正の内容】
【００６３】
フェールオーバ先管理テーブル８００には、全ての論理ボリューム１１１，１２１，１３１とそれらの論理ボリュームの使用状況との一覧が登録されている。したがって、フェールオーバする場合にはこの一覧を確認することにより候補となる論理ボリュームを選択することができるようになる。
【手続補正５】
【補正対象書類名】明細書
【補正対象項目名】００７６
【補正方法】変更
【補正の内容】
【００７６】
Ｓ９１１ではコピーの対象が複製先の論理ボリュームであるかどうかを判定する。複製先の論理ボリューム１２１ではないと判定した場合（Ｓ９１１；No）にはＳ１０００にジャンプし、複製先の論理ボリューム１２１であると判定した場合（Ｓ９１１；Yes）にはＳ９１２に進む。
【手続補正６】
【補正対象書類名】明細書
【補正対象項目名】００７８
【補正方法】変更
【補正の内容】
【００７８】
Ｓ９１３では、フェールオーバステータス７８０によりフェールバック中状態であるかどうかを判断する。フェールバック中状態（フェールオーバステータス７８０が「０」）ではないと判断した場合（Ｓ９１３；No）には後述するフェールオーバ先決定処理（Ｓ９１４）を実行してＳ１０００にジャンプする。一方、Ｓ９１３でフェールバック中状態（フェールオーバステータス７８０が「１」）であると判断した場合（Ｓ９１３；Yes）にはＳ９１５に進み、Ｓ９１５でフェールオーバステータス７８０を「１」（フェールバック中状態）から「０」（通常状態）の値に設定する。そして、Ｓ９１６でカレントリモートコピー対象記憶装置７５０及びカレントリモートコピー対象論理ボリューム７６０が示す論理ボリュームの初期コピー現在位置７１０を最大ブロック番号＋１に設定し（コピー位置＝カレントの完了）、Ｓ９１７でコピー対象をカレントリモートコピー対象記憶装置７５０及びカレントリモートコピー対象論理ボリューム７６０が示す論理ボリューム（カレント）に決定してＳ９０８にジャンプする。
【手続補正７】
【補正対象書類名】明細書
【補正対象項目名】００７９
【補正方法】変更
【補正の内容】
【００７９】
Ｓ１０００では、第一の記憶装置１１０がフェールオーバステータス７８０をチェックし、コピー対象の論理ボリュームがフェールバック中状態であるかどうかを判定する。Ｓ１０００でフェールバック中状態「１」ではないと判定した場合（Ｓ１０００；No）にはＳ１０１０にジャンプする。一方、Ｓ１０００でフェールバック中状態「１」であると判定した場合（Ｓ１０００；Yes）にはＳ１００１に進む。そして、Ｓ１００１でカレントリモートコピー対象記憶装置７５０及びカレントリモートコピー対象論理ボリューム７６０が示す論理ボリューム１３１（カレント）にデータの書き込みを行うように、第一の記憶装置１１０は当該論理ボリューム１３１を備える記憶装置にデータを送信する。次にＳ１００２でデータを送信した記憶装置１３０からコピーの完了報告かエラー報告を待つ。
【手続補正８】
【補正対象書類名】明細書
【補正対象項目名】００９１
【補正方法】変更
【補正の内容】
【００９１】
図１２は複製元の論理ボリューム１１１と複製先の論理ボリューム１２１，１３１の内容を一致させる初期コピーの処理のフローチャートを示している。初期コピーの処理は情報処理装置１４０からのＩ／Ｏ要求とは非同期にバックグラウンドで実行される。また、初期コピーの処理はタイマー２０７によって定期的に起動されるが、起動される時間間隔は初期コピー優先度７２０の値によって異なるようにしてもよい。初期コピー優先度７２０が高「１」の場合には情報処理装置１４０からのＩ／Ｏ要求の応答時間に影響を与えてでも初期コピーを短時間で終わらせるような値に設定する。例えば、その値を１０ミリ秒に一度としてもよい。また、低「０」の場合には情報処理装置１４０からのＩ／Ｏ要求の応答時間に影響をほとんど与えないような値に設定する。例えば、その値を１秒に一度としてもよい。
【手続補正９】
【補正対象書類名】明細書
【補正対象項目名】００９７
【補正方法】変更
【補正の内容】
【００９７】
Ｓ１２１１で初期コピーのデータ書き込みができたかどうかを判定し、データの書き込みができたと判定した場合（Ｓ１２１１；Yes）にはＳ１２１２に進み、データの書き込みができないと判定した場合（Ｓ１２１１；No）には初期コピーの処理を終了する。
【手続補正１０】
【補正対象書類名】明細書
【補正対象項目名】０１２５
【補正方法】変更
【補正の内容】
【０１２５】
図１８は上述した収集コマンドを受領することによって起動される予備の論理ボリュームを申告する処理のフローチャートを示している。
まず、Ｓ１８０１で予備ボリューム管理テーブル８５０の使用状況８７０の値が「０」（空き）又は「１」（予備の論理ボリュームとして使用中）である全てのエントリ８６０を検索して論理ボリュームのＩＤ番号の一覧を作成する。そして、Ｓ１８０２で作成した一覧表を、収集コマンドを送信した第一の記憶装置１１０に返信して予備の論理ボリュームの申告処理を終了する。
【手続補正１１】
【補正対象書類名】明細書
【補正対象項目名】０１２６
【補正方法】変更
【補正の内容】
【０１２６】
図１９はフェールオーバ先の決定をする処理のＳ１１０６の問い合わせにより起動される、予備の論理ボリュームの使用状況を報告する処理のフローチャートを示している。
まず、第一の記憶装置１１０から使用状況８７０の値が「２」（無効を意味する。）以外で、かつ、記憶装置８８０及び論理ボリューム８９０のＩＤ番号で指定された論理ボリュームの使用状況の問い合わせがある。この問い合わせにより、Ｓ１９０１で予備の記憶装置は予備ボリューム管理テーブル８５０のエントリから上記条件を満たす論理ボリュームを検索する。そして、Ｓ１９０２で見つけたエントリ８６０の使用状況８７０の値を第一の記憶装置１１０に送信し、Ｓ１９０３に進む。
【手続補正１２】
【補正対象書類名】明細書
【補正対象項目名】０１２９
【補正方法】変更
【補正の内容】
【０１２９】
図２０は第一の記憶装置１１０から第二又は第三などの論理ボリューム１２１，１３１へのデータの書き込み（リモートコピー）要求があった場合に実行されるリモート書き込み処理のフローチャートを示している。具体的には、第二、第三などの記憶装置１２０，１３０へのデータの書き込み（リモートコピー）要求は、データの書き込み処理のＳ９０８とＳ１００１、初期コピー処理のＳ１２１０、及びフェールバック判定処理のＳ１３０５で発行される。
【手続補正１３】
【補正対象書類名】明細書
【補正対象項目名】０１３０
【補正方法】変更
【補正の内容】
【０１３０】
まず、Ｓ２００１で第二の記憶装置１２０又は第三の記憶装置１３０がネットワーク１５０を介して書き込みするデータを受信し、Ｓ２００２で第二の論理ボリューム１２１又は第三の論理ボリューム１３１へデータの書き込みを行う。そしてＳ２００３で第二の記憶装置１２０又は第三の記憶装置１３０は、データの書き込みが正常に終了したかどうかを判定する。Ｓ２００３で正常に終了したと判定した場合（Ｓ２００３；Yes）にはＳ２００４に進む。次に、Ｓ２００４でリモートコピーを要求した第一の記憶装置１１０に対して正常に終了したことを報告し、リモート書き込み処理を終了する。